(57)【要約】【課題】測定対象に対する基準ガス等の影響を最小とすることのできるセンサプローブを提供することを目的とする。【解決手段】先端部に開口４ａを有する筒状のスリーブ４とスリーブ４内に位置する棒状のセンサ（固体電解質２）とセンサの外周面とスリーブ４の内周面との間に弾性的に介在してセンサをスリーブ４内に保持する介装材５とを有するセンサプローブ１であって、介装材は、使用環境で融解してスリーブの内部空間を軸方向に気密的に遮断する融解材を含むことを特徴とする。この構成によれば、スリーブの内部空間は使用環境で軸方向に気密的に遮断されるため、基準ガス等がスリーブを通過して測定対象に達することがなく正確な測定をすることができる。【選択図】図１
2014160006.tif 000002
【特許請求の範囲】
【請求項１】
先端部に開口を有する筒状のスリーブと前記スリーブ内に位置する棒状のセンサと前記センサの外周面と前記スリーブの内周面との間に弾性的に介在して前記センサを前記スリーブ内に保持する介装材とを有するセンサプローブであって、
前記介装材は、使用環境で融解して前記スリーブの内部空間を軸方向に気密的に遮断する融解材を含むことを特徴とするセンサプローブ。
【請求項２】
前記介装材は、セラミック繊維の集積体で構成され、前記融解材はガラス粉末である請求項１に記載のセンサプローブ。
【請求項３】
前記センサは溶融金属中の水素濃度を測定する濃淡電池型水素センサである請求項１または２に記載のセンサプローブ。
【発明の詳細な説明】
【技術分野】
【０００１】
本発明は、センサプローブに関するものであり、たとえば溶融金属中のガス濃度を測定するセンサプローブに関する。
【背景技術】
【０００２】
溶融（融解）金属中のガスに起因する鋳造時のピンホール等の欠陥を低減するために、溶融金属中の水素や酸素のガス成分濃度を測定するセンサが実用化されている。
【０００３】
特許文献１や非特許文献１は、αアルミナを基材として二価のアルカリ土類金属を含有する、８００〜１７００Ｋでの測定が可能な固体電解質の濃淡電池型水素センサを開示しており、このうち非特許文献１は基準ガスを空気とする水素センサを開示している。
【０００４】
これらの水素センサは、固体電解質の一端を溶融金属（溶湯）に漬け、他端を基準ガスにさらすことにより、プロトン（水素イオン）が固体電解質中を移動して電位差を生じ濃淡電池となる。この電圧を測定することにより水素濃度を検出するものである。
【先行技術文献】
【特許文献】
【０００５】
【特許文献１】国際公開第２００２／０８２０６８号
【非特許文献】
【０００６】
【非特許文献１】Okuyama, Y et al.“A new type of hydrogen sensor for molten metals usable up to 1600K”、Electrochimica Acta、２００９年１２月３０日、Vol.55、Issue 2、P470-P474
【発明の概要】
【発明が解決しようとする課題】
【０００７】
基準電極には基準ガスとなる空気を常時送り流動させている。基準ガスとして導入される空気が溶湯面に接触する場合、空気の成分が溶湯内に溶け込み、水素濃度、酸素濃度の測定値に影響を与えることがわかっている。また、逆に溶湯金属の種類によっては溶湯から測定系に有害なガスが気化して基準電極側の測定系に影響を与えることも考えられる。またこれとは別に、αアルミナを固体電解質として水素センサとした場合、耐熱衝撃性に劣るため取り扱いに注意が必要であるという問題がある。
【０００８】
取り扱いでの破損を防ぐために、センサを金属製等のスリーブで囲み、センサとスリーブとの間に介装材を設けることが考えられる。しかしながら、介装材の組織が密な場合は、スリーブの熱膨張が介装材を通してセンサに作用して破壊してしまう。これを防ぐため、介装材を粗いものとすると、基準ガスや、溶湯からのガスが通過してしまう。
【０００９】
本発明は、上記課題を解決するためになされたものであり、基準ガスが測定値に与える影響を最小とし、溶湯面から気化するガスの影響を受けず、取り扱いで破損しにくいセンサプローブを提供することを目的とする。
【課題を解決するための手段】
【００１０】
上記目的を達成するため、本発明者はセンサプローブについて鋭意検討した結果、本発明に至った。本発明のセンサプローブは、先端部に開口を有する筒状のスリーブと前記スリーブ内に位置する棒状のセンサと前記センサの外周面と前記スリーブの内周面との間に弾性的に介在して前記センサを前記スリーブ内に保持する介装材とを有するセンサプローブであって、前記介装材は、使用環境で融解して前記スリーブの内部空間を軸方向に気密的に遮断する融解材を含むことを特徴としている。
【００１１】
この構成によれば、センサプローブはセンサの外周面とスリーブの内周面との間に弾性的に介在してセンサをスリーブ内に保持する介装材を有し、介装材は使用環境で融解してスリーブの内部空間を軸方向に気密的に遮断する融解材を含むため、基準ガス等がスリーブ４を通過して測定対象に達することがなく、正確な測定をすることができる。また、溶湯面から気化するガスが基準電極側の測定系に達することがなく、基準電極側の測定系を溶湯由来のガスから保護することができる。さらにまた、棒状のセンサは筒状のスリーブ内に位置するため、取り扱いによる破損を避けることができる。
【００１２】
前記介装材は、セラミック繊維の集積体で構成され、前記融解材はガラス粉末であるとよい。この構成によれば、測定対象が高温のものであってもよい。
【００１３】
前記センサは溶融金属中の水素濃度を測定する濃淡電池型水素センサであってもよい。溶融金属中の水素濃度を正確に測定することができる。
【図面の簡単な説明】
【００１４】
【図１】本発明の第１の実施形態を模式的に示す縦断面図である。
【図２】本発明の第１の実施形態の組立方法を示す図である。
【図３】本発明の第２の実施形態を模式的に示す縦断面図である。
【図４】本発明の第２の実施形態の組立方法を示す図である。
【図５】本発明の第３の実施形態を模式的に示す縦断面図である。
【発明を実施するための形態】
【００１５】
以下、本発明の電子装置の具体的な実施形態について図面を参照しつつ説明する。
【００１６】
＜第１の実施形態＞
第１の実施形態のセンサプローブ１は、溶融金属（溶湯）を銅とする水素濃度センサであり、図１に示すように、セラミック製の固体電解質２と、固体電解質２の内面側に収容された熱電対３と、固体電解質２の周りを取り囲むように設けられたスリーブ４と、固体電解質２とスリーブ４との間を所定間隔保つために介在するセラミックロープ５と、セラミックロープ５とガラス粉末層７を保持するための無機接着剤６と、溶湯に漬けたときに軟化してガラス層を形成するガラス粉末層７とからなっている。
【００１７】
固体電解質２は、水素濃度を検出するセンサとして作用する部分であって、図１に示すように断面Ｕ字状の、先端（図では下端）が閉じた管状のものであり、内面に白金質電極を設けてある。固体電解質２の材質は、αアルミナを基材とし、アルミナ（Ａｌ２Ｏ３）９９．５質量％以上、酸化マグネシウム（ＭｇＯ）０．２質量％以下、もしくは酸化カルシウム（ＣａＯ）０．０５質量％以下のアルカリ土類金属を含有するものを使用した。酸素の影響を受けず、８００〜１７００Ｋの領域で正確な水素濃度の測定が可能なものである。
【００１８】
二価のアルカリ土類金属を含有したαアルミナは、高温においてプロトン導電性を示す固体電解質として作用するので、一方の面が水素を含有した溶湯に接すると、固体電解質の中をプロトンが移動し、基準ガスに接した他方の面に達し、電位差が生じ濃度電池となる。一方の面と他方の面との電位差を測定し、事前に校正しておいた値と対照することにより、溶湯の水素濃度とする。実施形態では、固体電解質２の外側の凸面が溶湯に接し、内側の凹面が基準ガスに接する。
【００１９】
熱電対３は管状の固体電解質２の内部の空間に収容されている。熱電対３は、白金−白金ロジウムの熱電対であり、２穴のアルミナ製の絶縁管３ａに収容されている。先端の熱接点部が保護管３ａから露出されたタイプであり、固体電解質２の内面に固定され、電気的に接続されている。
【００２０】
αアルミナからなる固体電解質２の管の厚さは０．７５ｍｍであり、また比熱も大きくないため、管の内外での温度差は無視できる。熱電対３は溶湯に直接漬けられないため、熱電対３を保護することになる。固体電解質２の起電力は水素濃度の他、温度にも依存するため、水素濃度を確定するために温度の測定は必須である。従来は非特許文献１に示されるように、熱電対を窒化ケイ素（Ｓｉ３Ｎ４）の管内に収容して溶湯に漬けることにより、溶湯から保護するようにしていたが、本実施形態では固体電解質２の管内に熱電対３を収容することにより、熱電対用の管を省略し、また、固体電解質２のリード線を、熱電対３で兼用することにより省略し簡素な構成としている。
【００２１】
熱電対３は、固体電解質２の内面に白金ペースト等を用いて、所定の焼結条件により接続される。白金ペーストは焼結後ポーラス状となり、基準ガスである空気を透過する。よって固体電解質２の内面のポーラス状の白金部が基準電極となる。
【００２２】
スリーブ４は、下端は閉じているが側面にスリット４ａが開口しており、溶湯に漬けられた際には溶湯がスリーブ４内側に侵入し固体電解質２に接触できるようにしている。スリット４ａの位置が先端に近いと固体電解質２に溶湯が接しないため、固体電解質２の位置まで溶湯が侵入して接することができるような位置とする。スリーブ４は下端が開放されている形状でもよい。
【００２３】
スリーブ４の材質は耐熱ステンレスである。スリーブ４により、取り扱いによるセラミックの固体電解質２の破損を防ぐことができる。また、スリーブ４は導電性なので、測定電極として機能させることができるため、別途電極棒を用意する必要はない。
【００２４】
測定電極としてステンレス製のスリーブ４を用いるため、水素濃度の測定回路は、電圧計（−側）−スリーブ（測定電極）−溶湯（銅）−固体電解質（水素センサ、αアルミナ）−電極（白金、基準電極）−熱電対（白金側）−電圧計（＋側）となる。また、電池図式は、
（−、work．）、Ｃｒ−Ｎｉ−Ｆｅ、Ｃｕ（Ｈ２）｜α−Ａｌ２Ｏ３｜Ｐｔ（air）、
（ref.＋）……（１）
となる。なお、熱電対３による測定と、熱電対３の白金側を利用した水素濃度の測定は回路を切り替えて交互に行う。
【００２５】
セラミックロープ５は溶湯温度で影響されないセラミック繊維からなる「ひも」であり、固体電解質２に巻きつけることにより、固体電解質２がスリーブ４のほぼ中央に配置されるようにする。また、固体電解質２とスリーブ４との間を塞ぐので、溶融金属の侵入と基準ガスが溶湯面に達することを妨げるという効果もある。しかしながら、セラミックロープ５には細かな隙間があり、気密性は完全ではない。
【００２６】
無機接着剤６はセラミックロープ５を固定し、ガラス粉末層７を保持するためのものである。乾燥、硬化後はポーラス状となるため気密性はない。
【００２７】
ガラス粉末層７は図に示すように上下を無機接着剤６に挟まれている。センサプローブ１が溶湯に漬けられる際、熱伝導により軟化点（９００℃から１０００℃程度）以上に昇温して液状化したガラス層となる。これにより、スリーブの中で、基準ガスが入る空間と溶湯面のガスの空間とが遮断され、基準ガスが溶湯面に到達することがなくなる。なお、軟化点の高いガラス粉末を使用した。
【００２８】
組立方法を述べる。図１に示すように、固体電解質２の周囲二箇所にセラミックロープ５を巻きつけ、スリーブ４の内径とほぼ同じになるようにしスリーブ４に挿入する。つづいて、図２に示すように、上下を逆にし、先端のスリーブ４の側面に設けられたスリット４ａから無機接着剤６をセラミックロープ層の上に一様な層ができるまで充填し（図２（ａ））、所定条件で乾燥、硬化処理を行う。つぎに同様にスリット４ａからガラス粉末を入れ、無機接着剤６の層の上にガラス粉末層７を形成する（図２（ｂ））。さらに再び無機接着剤６を充填し（図２（ｃ））、乾燥、硬化処理を行う。
【００２９】
このように固体電解質２とスリーブ４との間にはセラミックロープ５と無機接着剤６とガラス粉末層７（溶湯に漬けられたときには溶融ガラスとなる）が介在することになり、スリーブ４の上部から基準ガスとして導入される空気が溶湯面に接触し、空気の成分が溶湯内に入り込み水素濃度、酸素濃度の測定値に影響を与えることを防ぐよう、空気の流入を防止している。
【００３０】
さらに、セラミックロープ５で巻くことは、固体電解質２とスリーブ４の内面との距離を所定間隔として、固体電解質２が局部的にスリーブに近接しすぎて、周方向の温度が不均一にならないよう距離を保ち、均一に温度上昇させて熱衝撃から防ぐ機能がある。また、巻きつけたセラミックロープ５は弾性があるため、溶湯に漬ける際にスリーブ４と固体電解質２の熱膨張係数の違いによる熱膨張の違いを吸収して、固体電解質２に不要な力を加えないようにしている。
【００３１】
以上、説明したことから明らかなように、第１の実施形態によれば、センサプローブ１は、先端部に開口（スリット４ａ）を有する筒状のスリーブ４とスリーブ４内に位置する棒状のセンサ（固体電解質２）とセンサの外周面とスリーブ４の内周面との間に弾性的に介在してセンサをスリーブ４内に保持する介装材（セラミックロープ５）とを有するセンサプローブ１であって、介装材５は、使用環境で融解してスリーブの内部空間を軸方向に気密的に遮断する融解材（ガラス粉末層７）を含むことを特徴としている。
【００３２】
この構成によれば、介装材５は使用環境で融解してスリーブ４の内部空間を軸方向に気密的に遮断する融解材７を含むため、基準ガス等がスリーブ４を通過して測定対象に達することがないため正確な測定をすることができる。また、溶湯面から気化するガスが基準電極側の測定系に達することがなく、基準電極側の測定系を溶湯由来のガスから保護することができる。さらにまた、棒状のセンサは筒状のスリーブ内に位置するため、取り扱いによる破損を避けることができる。
【００３３】
また、介装材（セラミックロープ５）は、セラミック繊維の集積体で構成され、融解材（ガラス粉末層７）はガラス粉末であることを特徴としている。この構成によれば、測定対象が高温のものであっても適用することができる。
【００３４】
センサ（固体電解質２）は溶融金属中の水素濃度を測定する濃淡電池型水素センサであることを特徴としている。この構成によれば、溶融金属中の水素濃度を正確に測定することができる。
【００３５】
なお、図２（ｄ）に示すようにスリーブ４は、端の部分が無いものでもよい。すなわちスリーブ４はセンサー（固体電解質２）の先端部を覆うものでなくともよい。
【００３６】
＜第２の実施形態＞
本発明の第２の実施形態のセンサプローブ１は、図３に示すように、固体電解質２と、固体電解質２の内面側に収容された熱電対３と、固体電解質２の周りを取り囲むように設けられたスリーブ４と、スリーブ４の内側に配置された酸素センサ８と、スリーブ４と、酸素センサ８と固体電解質２との間を所定間隔保ち、またスリーブ４との間を所定間隔保つために介在するセラミックロープ５と、セラミックロープ５とガラス粉末層７を保持するための無機接着剤６と、溶湯に漬けたときに軟化してガラス層を形成するガラス粉末層７とからなっている。これにより、水素濃度と温度に加え、酸素濃度の測定も可能としている。
【００３７】
酸素センサ８は、すでに実用化されているもので、アルミノケイ酸塩からなる支持管８ａ内に鉄からなるリード線（不図示）を収め、マグネシウムを含んだジルコニア（ＺｒＯ２）を主体とする固体電解質を先端に配置した濃淡電池型酸素センサである。各実施形態に示したαアルミナを用いた固体電解質２は、従来の水素センサと異なり、酸素濃度に影響されない測定が可能である。しかしながら、金属の溶湯としては、酸素量の管理が必要であり、酸素濃度の測定を行う必要があるため、センサプローブ１として一体化して、測定回路を切り替えることにより水素濃度、温度、酸素濃度の三種類の測定を可能とした。
【００３８】
組立方法を述べる。図４に示すように、固体電解質２と酸素センサ８の支持管８ａの周囲二箇所（図示は図３）にセラミックロープ５を、ほぼ同じ太さになるよう巻きつけ、次に両者の間にスペーサとしてセラミックロープ５を適宜配置して、さらに個別に両者に巻きつけたセラミックロープ５の上から全体の周りに、円形になるようセラミックロープ５を巻きつけ、スリーブの内径とほぼ同じになるようにしスリーブ４に挿入する。なお、このとき図４にあるような隙間はセラミックロープ５の切れ端で塞いでおく。
【００３９】
つづいて、第１の実施形態の図２と同様にして無機接着剤６を使ってガラス粉末層７を形成し、図３に示す形とする。使用した無機接着剤６は粘性の高いものを使用したため、セラミックロープ層に少々の隙間があってもスリーブ４内に抜け落ちることはなかった。
【００４０】
セラミックロープ５は、二つのセンサの距離を所定間隔として、互いに悪影響を及ぼさないようにすることや溶湯の動きを阻害しないようにする他、センサが局部的にスリーブに近接しすぎて、センサの周方向の温度が不均一にならないよう距離を保ち、均一に温度上昇させて熱衝撃から防ぐ機能がある。また、巻きつけたセラミックロープ５は弾性があるため、溶湯に浸漬する際にスリーブ４とセンサの熱膨張係数の違いによる膨張率の違いを吸収して、センサに不要な力を加えないようにしている。
【００４１】
酸素濃度の測定電極としては固体電解質２と同様にステンレス製のスリーブ４を用いることができる。したがって、酸素濃度の測定回路は、電圧計（−側）−スリーブ（測定電極）−溶湯（銅）−酸素センサ（ジルコニア）−リード線（鉄、基準電極）−電圧計（＋側）となる。また、電池図式は、
（−、work．）、Ｃｒ−Ｎｉ−Ｆｅ、Ｃｕ（Ｏ２）｜ＺｒＯ２（＋ＭｇＯ）｜
Ｆｅ、（ref.＋）……（２）
となる。水素濃度と温度と酸素濃度の測定は、回路を切り替えることにより任意の測定が可能である。たとえば、水素濃度を重点的に測定したい場合、水素濃度→酸素濃度→水素濃度→温度→水素濃度の順番とする等、注目するパラメータの測定頻度や順番を変更できる。
【００４２】
以上に述べたように第２の実施形態によれば、センサプローブ１は、溶融金属を銅として、固体電解質２（水素センサ）と、熱電対３と、ステンレス製のスリーブ４と、酸素センサ８とからなることを特徴としている。この構成によれば、センサプローブ１により水素濃度、温度、酸素濃度を測定することが可能となる。
【００４３】
＜第３の実施形態＞
本発明の第３の実施形態のセンサプローブ１は、図５に示すように、固体電解質２と、固体電解質２の内面側に収容された熱電対３と、固体電解質２の周りを取り囲むように設けられたスリーブ４と、スリーブ４の内側に配置された酸素センサ８と、スリーブ４と、酸素センサ８と固体電解質２との間を所定間隔保ち、またスリーブ４との間を所定間隔保つために介在するセラミックロープ５と、セラミックロープ５とガラス粉末層７を保持するための無機接着剤６と、溶湯に浸漬したときに軟化してガラス層を形成するガラス粉末層７と、スリーブ４の先端に設けられた、溶融金属と同種の銅製のキャップ状の保護部９とからなっている。固体電解質２は水素濃度を検出するセンサとして作用する部分であって、αアルミナからなるセラミック製である。酸素センサ８はジルコニアを主体とする固体電解質である。たとえば銅の融点は１０８３．４℃であるから、溶融金属の温度はこれより高く、これらのセンサを室温から溶融金属に浸漬すると熱衝撃により破壊されてしまう。このような破壊を防ぐため、使用前に徐々に加熱して予熱しておくことが必要となっている。保護部９はこの予熱時間を短縮し、これらのセンサを熱衝撃による破壊から守るために設けるものである。
【００４４】
保護部９は、スリーブ４の先端に機械的嵌合によって固定されている。材質は溶湯に合わせて溶湯の組成を維持するものとし、本実施形態では溶湯がタフピッチ銅であったためこれに合わせタフピッチ銅とした。厚さが１０ｍｍ以上のときに熱衝撃を緩和する効果が良好であったが、固体電解質２の熱容量等により変化する性質のものであるから、これに限定するものではない。
【００４５】
保護部９は、水素濃度を測定するためにセンサプローブ１の先端が溶湯に漬けられる際に漬けられ、溶湯の熱により溶融して消失する。この過程において、保護部９は、スリーブ４やスリーブ４と各センサの間の空間を介して間接的に固体電解質２や酸素センサ８に熱を伝えながら溶けていくため、熱電対３で測定している固体電解質２の温度は比較的ゆるやかに上昇する。また酸素センサ８も同様にゆるやかに上昇すると考えられる。したがって、熱衝撃によりこれらのセンサにクラックが発生する可能性が減少する。
【００４６】
水素濃度、酸素濃度を測定するためにセンサプローブ１の先端が溶湯に漬けられる場合、まず保護部９が直接溶湯に接し、熱により溶融して消失する。この過程において、保護部９はスリーブ４に熱を伝えながら溶けていき、スリーブ４はスリーブ４と固体電解質２や酸素センサ８との間の空間の空気の温度を上昇させるので、固体電解質２や酸素センサ８の温度は上昇する。また、スリーブ４の内面からの放射熱によっても固体電解質２や酸素センサ８の温度は上昇する。また、先端部よりやや上部の位置で固体電解質２や酸素センサ８とスリーブ４とは無機接着剤６によって接触しているため、この無機接着剤６によっても伝わる。しかしながら、これらによる温度上昇は直接接触することによる温度上昇ほど急激ではない。その後保護部９が消失すると、溶湯はスリーブ４内にスリット４ａを通って侵入し、直接固体電解質２や酸素センサ８に接し、溶湯の水素濃度や酸素濃度の測定が可能となる。したがって、熱電対３で測定している固体電解質２の温度は他の実施形態よりゆるやかに上昇する。また酸素センサ８も同様にゆるやかに上昇すると考えられる。よって、熱衝撃によりクラックが発生する可能性が減少する。
【００４７】
保護部９が溶融して消失すると、各センサが直接溶湯に接し測定が可能となるが、これは熱電対３により測定されている温度が平衡になったことをもって判断し、水素濃度測定、酸素濃度測定を開始するものとする。
【００４８】
本実施形態の組立手順を述べる。第２の実施形態につづいて、スリーブ４の先端に保護部９を嵌挿し、図５に示すようなスリーブ４と保護部９との接触部に無機接着剤６を塗布し、所定の乾燥、硬化処理を行い接着する。
【００４９】
以上、説明したことから明らかなように、第３の実施形態によれば、センサプローブ１は、溶融金属を銅として、固体電解質２（水素センサ）と、熱電対３と、ステンレス製のスリーブ４と、酸素センサ８と、溶融金属と同様の材質からなるキャップ状の保護部９とからなることを特徴とする。
【００５０】
この構成によれば、センサプローブ１を溶湯に漬けた際、スリーブ４等に熱を伝えながら溶けていくため、熱電対３で測定している固体電解質２の温度はゆるやかに上昇する。また酸素センサ８も同様にゆるやかに上昇すると考えられる。よって、熱衝撃により固体電解質２や酸素センサ８にクラックが発生する可能性が減少する。
【００５１】
なお、本発明は上述した実施形態に限定されるものではなく、本発明の主旨を逸脱しない範囲で種々の変更を施すことが可能である。
【００５２】
各実施形態では溶融した銅の水素濃度をαアルミナの固体電解質で測定するものとしたが、他の金属の溶湯のガス濃度を測定する別のセンサであってもよい。その際ガラス粉末層のガラスの軟化点は、溶湯の温度を考慮して適切なものを選定する。外部のガスや空気による影響の少ない測定をすることができる。また、保護部の材質は溶湯に合わせた同種のものとする
スリーブ４の材質は溶湯を銅として耐熱ステンレスとしたが、溶湯に対する耐蝕性があり、機械強度があるものを選定すれば他の金属でもよい。また、導電性であれば金属とは限らず、たとえば炭化ケイ素（ＳｉＣ）等が利用できる。
【００５３】
スリーブ４は、側面にスリットが設けられていたが、下方が開放していてもよい。
【００５４】
第３の実施形態では、センサとスリーブの間の空間に銅粉を入れるようにしてもよい。さらに熱容量が大きくなり、また、保護部が溶けた後も各センサの周囲には銅粉があるため、これが熱を伝えつつ溶融するため、溶湯が接触するまでの温度上昇がさらにゆるやかとなる。また、溶湯は銅以外でもよく、このとき銅粉や保護部は溶湯と同じ材質とする。
【００５５】
各実施形態では、水素濃度、酸素濃度を測定するものとしたが、それ以外の溶湯がガスの影響を避けるべき測定をするセンサ類にも適用することが可能である。
【符号の説明】
【００５６】
１  センサプローブ
２  固体電解質（水素センサ）
３  熱電対
３ａ  保護管
４  スリーブ
４ａ  スリット
５  セラミックロープ（介装材）
６  無機接着剤
７  ガラス粉末層
８  酸素センサ
８ａ  支持管
９  保護部
【図１】
2014160006.tif 000003
【図２】
2014160006.tif 000004
【図３】
2014160006.tif 000005
【図４】
2014160006.tif 000006
【図５】
2014160006.tif 000007